(57)【特許請求の範囲】
【請求項１】
分離票が分離可能に区画形成されてなる伝票片と、該伝票片の一方の面のうち前記分離票を除いた領域に前記伝票片の外周に沿って設けられた第１の接着層によって前記伝票片の前記一方の面に貼着された剥離台紙とを有し、前記伝票片が前記剥離台紙から剥離されて前記第１の接着層によって配送物に貼着される配送伝票において、
前記伝票片は、前記一方の面にて、前記分離票のうち当該分離票の１つの端辺に並行する端部領域に第２の接着層が設けられ、
前記剥離台紙は、前記分離票に対向する領域に、１つの端辺が前記分離票に対向するとともに当該端辺に並行する端部領域が前記第２の接着層に対向し、かつ、当該端辺に対向する端辺に並行する端部領域が前記第１の接着層と対向してなる分離部が分離可能に区画形成され、
前記分離部は、前記第１の接着層に対向する端部領域を切り離す第１の切り離し線と、前記第２の接着層に対向する端部領域を切り離す第２の切り離し線とを有することを特徴とする配送伝票。
【発明の詳細な説明】
【技術分野】
【０００１】
本発明は、配送物に貼着されて使用される配送伝票に関する。
【背景技術】
【０００２】
従来より、配送物を配送する場合、配送物の配送元及び配送先の住所や氏名あるいは名称等の配送情報が印字された配送伝票が用いられ、配送情報が印字された配送伝票が配送物に貼付され、配送伝票に印字された配送情報に従って配送物が配送先に配送されている。
【０００３】
このような配送伝票としては、配送物に貼付される伝票片に、配送物が配送先に配送された後に配送業者が持ち帰る配達票が分離可能に区画形成されているものが用いられている。この配送伝票を用いた場合、配送物が配送先に配送されると、配達票に受領印が押下され、配達票が伝票片から分離されて配送業者によって持ち帰られることにより、配送物が配送先に配送されたことが管理されることになる。
【０００４】
上述したように配達票を伝票片から分離して持ち帰るためには、伝票片のうち配達票となる部分が配送物に貼着されていない状態としておく必要がある。そこで、伝票片のうち配達票となる部分のみ接着層を設けず、それにより、伝票片が配送物に貼着された後においても配達票のみを配送物から離脱可能としている。
【０００５】
また、このような伝票片から配達票が分離可能な構成において、伝票片のうち配達票となる部分のみ接着層を設けない構成とするとともに、伝票片が配送物に貼着される前の状態にて伝票片に剥離可能に貼着されている剥離台紙のうち、配達票に対向する領域に分離部をスリットによって分離可能に区画形成し、この分離部の表裏に情報を表示した配送伝票が、例えば、特許文献１に開示されている。
【０００６】
特許文献１に開示された配送伝票においては、分離票となる配達票が分離可能に区画形成されるとともに一方の面の配達票を除いた領域に接着層が設けられた伝票片に、接着層によって剥離台紙が剥離可能に貼着された構成において、剥離台紙の配達票に対向する領域に、一方向の両端部のみが接着層に対向するとともに、その両端部を切り離す切り離し線が設けられた分離部が分離可能に区画形成されている。そのため、分離部のうち接着層に対向しない領域の表裏に情報を表示しておくことで、伝票片から配達票を分離した後、分離部の両端部を切り離し線によって切り離せば、分離部の表裏に表示された情報を配送物の配送先に通知することができる。
【特許文献１】特許第５０５３１４２号公報
【発明の概要】
【発明が解決しようとする課題】
【０００７】
近年、特許文献１に開示された配送伝票を用いたものとして、配達票以外にも、領収証や貼付票が伝票片から分離可能に区画形成されたものも多く利用されている。領収証は、配送物の代金を領収したことを示すものであって、配送物の受取人が、配送物を受け取った後に伝票片から分離する。また、貼付票は、配送物の受取人が、配送物を受け取った後に配送物の梱包物を廃棄する際に、貼付票に表示された個人情報の漏洩を回避するために伝票片から分離する。
【０００８】
また、特許文献１に開示された配送伝票においては、上述したように剥離台紙の一部を用いて配送先に情報を通知することができるため、情報が表示される剥離台紙の部分を配送物の納品書として利用することができる。その場合、配送物の受取人は、伝票片から領収証や貼付票を分離した後、剥離台紙のうち分離部の一方向の両端部を切り離し線によって切り離すことで、伝票片と配送物の間から納品書を取り出すことができる。
【０００９】
しかしながらその場合、伝票片から領収証や貼付票を分離した後、分離部の一方向の両端部を切り離し線によってそれぞれ切り離す必要があるため、手間がかかってしまい、納品書となる部分の大きさや切り離し線の位置によっては、納品書を取り出しにくくなってしまうという問題点がある。
【００１０】
本発明は、上述したような従来の技術が有する問題点に鑑みてなされたものであって、伝票片が配送物に貼着される前の状態にて伝票片に剥離可能に貼着されている剥離台紙の一部を用いて情報を通知する場合に、伝票片が配送物に貼着された状態にて、情報が表示された部分を伝票片と配送物との間から容易に取り出すことができる配送伝票を提供することを目的とする。
【課題を解決するための手段】
【００１１】
上記目的を達成するために本発明は、
分離票が分離可能に区画形成されてなる伝票片と、該伝票片の一方の面のうち前記分離票を除いた領域に前記伝票片の外周に沿って設けられた第１の接着層によって前記伝票片の前記一方の面に貼着された剥離台紙とを有し、前記伝票片が前記剥離台紙から剥離されて前記第１の接着層によって配送物に貼着される配送伝票において、
前記伝票片は、前記一方の面にて、前記分離票のうち当該分離票の１つの端辺に並行する端部領域に第２の接着層が設けられ、
前記剥離台紙は、前記分離票に対向する領域に、１つの端辺が前記分離票に対向するとともに当該端辺に並行する端部領域が前記第２の接着層に対向し、かつ、当該端辺に対向する端辺に並行する端部領域が前記第１の接着層と対向してなる分離部が分離可能に区画形成され、
前記分離部は、前記第１の接着層に対向する端部領域を切り離す第１の切り離し線と、前記第２の接着層に対向する端部領域を切り離す第２の切り離し線とを有することを特徴とする。
【００１２】
上記のように構成された本発明においては、伝票片が剥離台紙から剥離され、伝票片の一方の面に設けられた第１の接着層によって配送物に貼着された状態において、伝票片から分離票が分離されると、剥離台紙から分離して伝票片に貼着されたままとなって伝票片と配送物との間に収容された状態となっている分離部が、伝票片に設けられた第２の接着層によって分離票と貼着されていることにより、分離票の伝票片からの分離に伴って伝票片と配送物との間から引き出されていこうとする。分離部は、第２の接着層によって伝票片に貼着された端部領域とは反対側の端部領域が第１の接着層に対向していることで伝票片の分離票以外の領域と貼着されているが、分離部を伝票片と配送物との間から引き出そうとすることでこの端部領域が第１の切り離し線によって切り離され、分離部が伝票片と配送物との間から取り出される。
【００１３】
または、伝票片が剥離台紙から剥離され、伝票片の一方の面に設けられた第１の接着層によって配送物に貼着された状態において、伝票片から分離票が分離されると、剥離台紙から分離して伝票片に貼着されたままとなって伝票片と配送物との間に収容された状態となっている分離部が、伝票片に設けられた第２の接着層に対向する端部領域にて分離票と貼着されていることにより、伝票片と配送物との間から引き出されていこうとするが、分離部の第２の接着層によって伝票片に貼着された端部領域とは反対側の端部領域が第１の接着層に対向していることで伝票片の分離票以外の領域と貼着されているとともに、分離部には第２の接着層に対向する端部領域を切り離す第２の切り離し線が設けられているため、分離部の第２の接着層に対向する端部領域が、分離票に貼着されたまま第２の切り離し線によって分離部から切り離される。すると、伝票片にて分離票が分離したことによって生じた開口部内において、分離部の伝票片に貼着されていない側の端部が、開口部の端辺との間に、第２の切り離し線によって分離部から切り離された端部領域の幅分の隙間を隔てて生じることとなる。そこで、この隙間に指を挿入して分離部の端部を引っ張ることで、分離部の第１の接着層に対向している端部領域が第１の切り離し線によって切り離され、分離部が伝票片と配送物との間から取り出される。
【００１４】
このように、伝票片が剥離台紙から剥離され、伝票片の一方の面に設けられた第１の接着層によって配送物に貼着された状態において、伝票片から分離票を分離するだけで、剥離台紙から分離して伝票片に貼着されたままとなって伝票片と配送物との間に収容された状態となっている分離部が取り出され、あるいは、伝票片から分離票を分離することで分離部が取り出しやすい状態となる。
【発明の効果】
【００１５】
本発明によれば、伝票片が剥離台紙から剥離され、伝票片の一方の面に設けられた第１の接着層によって配送物に貼着された状態において、伝票片から分離票を分離するだけで、剥離台紙から分離して伝票片と配送物との間に収容された状態となっている分離部を容易に取り出すことができ、あるいは、伝票片から分離票を分離することで分離部を取り出しやすい状態とすることができるため、分離部に通知したい情報を表示することにより、伝票片が配送物に貼着される前の状態にて伝票片に剥離可能に貼着されている剥離台紙の一部を用いて情報を通知する場合に、伝票片が配送物に貼着された状態にて、情報が表示された部分を伝票片と配送物との間から容易に取り出すことができる。
【図面の簡単な説明】
【００１６】
【図１】本発明の配送伝票の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図２】図１に示した伝票片及び剥離台紙の構成を示す図であり、（ａ）は伝票片の剥離台紙との貼着面を示す図、（ｂ）は剥離台紙の伝票片との貼着面の構成を示す図である。
【図３】図１及び図２に示した配送伝票において伝票片から配達票を分離するまでの使用方法を説明するための図である。
【図４】図１及び図２に示した配送伝票において伝票片とともに配送物に貼着された納品書を取り出す方法の一例を説明するための図である。
【図５】図１及び図２に示した配送伝票において伝票片とともに配送物に貼着された納品書を取り出す方法の他の例を説明するための図である。
【図６】本発明の配送伝票の他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図７】図６に示した伝票片及び剥離台紙の構成を示す図であり、（ａ）は伝票片の剥離台紙との貼着面を示す図、（ｂ）は剥離台紙の伝票片との貼着面の構成を示す図である。
【図８】図６及び図７に示した配送伝票から納品書を取り出す方法の一例を説明するための図である。
【図９】本発明の配送伝票の他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図１０】図９に示した伝票片及び剥離台紙の構成を示す図であり、（ａ）は伝票片の剥離台紙との貼着面を示す図、（ｂ）は剥離台紙の伝票片との貼着面の構成を示す図である。
【図１１】図９及び図１０に示した配送伝票から納品書を取り出す方法の一例を説明するための図である。
【図１２】図１〜図１１に示した配送伝票に用いられる第２の接着層の他の構成例を示す図である。
【発明を実施するための形態】
【００１７】
以下に、本発明の実施の形態について図面を参照して説明する。
【００１８】
図１は、本発明の配送伝票の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図２は、図１に示した伝票片１０及び剥離台紙２０の構成を示す図であり、（ａ）は伝票片１０の剥離台紙２０との貼着面を示す図、（ｂ）は剥離台紙２０の伝票片１０との貼着面の構成を示す図である。
【００１９】
本形態は図１に示すように、長方形の伝票片１０と剥離台紙２０とが貼着されてなる配送伝票１である。なお、図１（ｄ）においては、配送伝票１の積層構造をわかりやすくするために便宜上厚みを帯びて図示しているが、配送伝票１は実際には、図１（ｂ），（ｃ）に示すように、横方向から見た場合に積層構造がわからないほどのものである。
【００２０】
伝票片１０は図１及び図２（ａ）に示すように、長手方向の長さが剥離台紙２０よりも短くなっており、本発明における分離票となる領収証１１と、配達票１２と、貼付票１３とを有している。これら領収証１１、配達票１２及び貼付票１３にはそれぞれ、この伝票片１０が貼着される配送物の配送元及び配送先の住所や氏名あるいは名称等の配送情報が記入あるいは印字される配送情報表示領域１１ａ，１２ａ，１３ａが設けられており、配達票１２にはさらに、配送物が配送先に届けられた際に受領印を押下するための押印領域１２ｂが設けられている。領収証１１及び配達票１２の境界及び周囲にはミシン目１４が形成されており、このミシン目１４によって領収証１１及び配達票１２がそれぞれ伝票片１０から分離可能に区画形成されている。また、配達票１２の角部には、コーナーカット１５が形成されており、このコーナーカット１５が、配達票１２を伝票片１０から分離する際に摘み代となっている。
【００２１】
伝票片１０の剥離台紙２０との貼着面には、領収証１１、配達票１２及び貼付票１３を除いた領域に、伝票片１０の外周に沿って接着剤が塗工されることで第１の接着層３１が設けられている。この接着層３１は、領収証１１、配達票１２及び貼付票１３の外周に沿って設けられており、ミシン目１４上には設けられていない。また、領収証１１の剥離台紙２０との貼着面には、伝票片１０の長手方向における配達票１２とは反対側の端辺に沿う端部領域に、その端辺に並行してライン状に接着剤が塗工されることで第２の接着層３２が設けられている。
【００２２】
剥離台紙２０は図１及び図２（ｂ）に示すように、スリット２２が形成されることで分離部となる納品書２１が分離可能に区画形成されており、伝票片１０との貼着面においては、伝票片１０に対向する領域のうち納品書２１以外の全面に剥離剤が塗工されることで剥離層４０が設けられている。納品書２１は、領収証１１、配達票１２及び貼付票１３に渡って対向するようにスリット２２によって形成されている。納品書２１は、剥離台紙２０の短手方向の長さが、領収証１１、配達票１２及び貼付票１３よりも若干短くなっており、それにより、配送伝票１の短手方向においては、接着層３１のうち、領収証１１、配達票１２及び貼付票１３の両側の部分は全ての領域が剥離層４０に対向している。また、納品書２１は、剥離台紙２０の長手方向のうち領収証１１側の端部領域においては、その端辺がスリット２２によって領収証１１に対向するように形成されることで、接着層３１には対向せずに接着層３２に対向している。また、剥離台紙２０の長手方向のうち貼付票１３側の端部領域においては、その端辺が貼付票１３よりも配達票１２の反対側に位置することで、接着層３１と対向している。また、納品書２１には、剥離台紙２０の長手方向のうち貼付票１３側の端部領域において、接着層３１に対向しない領域に納品書２１の端辺に並行して第１の切り離し線となるミシン目２３が形成されており、それにより、納品書２１は、ミシン目２３を断裁することで、接着層３１と対向する端部領域が切り離し可能となっている。また、納品書２１には、剥離台紙２０の長手方向のうち領収証１１側の端部領域において、接着層３２に対向しない領域に納品書２１の端辺に並行して第２の切り離し線となるミシン目２４が形成されており、それにより、納品書２１は、ミシン目２４を断裁することで、接着層３２と対向する端部領域が切り離し可能となっている。
【００２３】
上記のように構成された伝票片１０と剥離台紙２０とが接着層３１，３２によって互いに貼着されているが、剥離台紙２０の納品書２１以外の領域が、剥離層４０によって剥離可能となっており、納品書２１のうち、ミシン目２３よりも外側の領域が、剥離層４０が介在せずに接着層３１に対向することで剥離不能となっており、ミシン目２４よりも外側の領域が、剥離層４０が介在せずに接着層３２に対向することで剥離不能となっている。なお、貼着後の剥離不能とは、伝票片１０と剥離台紙２０とを人間の手によって剥離した場合に、伝票片１０と剥離台紙２０自体が裂かれたり厚み方向に分割されたりする程度に強接着されていることである。
【００２４】
以下に、上記のように構成された配送伝票１の使用方法について説明する。
【００２５】
まず、伝票片１０から配達票１２を分離するまでの使用方法について説明する。
【００２６】
図３は、図１及び図２に示した配送伝票１において伝票片１０から配達票１２を分離するまでの使用方法を説明するための図である。
【００２７】
図１及び図２に示した配送伝票１を使用する場合は、まず、伝票片１０を配送物に貼着するために伝票片１０から剥離台紙２０を剥離する。伝票片１０と剥離台紙２０とは、上述したように伝票片１０に設けられた接着層３１によって貼着されているものの、剥離台紙２０の納品書２１以外の全面に剥離層４０が設けられているため、容易に剥離することができる。剥離台紙２０をその端部から剥離していくと、納品書２１の周囲にはスリット２２が形成されているため、図３（ａ）に示すように、納品書２１が剥離台紙２０から分離する。この際、納品書２１は、剥離台紙２０の長手方向の両端部の領域が、接着層３１，３２によって伝票片１０に剥離不能に貼着されているため、伝票片１０に貼着されたまま残る。
【００２８】
剥離台紙２０の納品書２１を除く領域を伝票片１０から剥離すると、伝票片１０の剥離台紙２０との貼着面に設けられた接着層３１が表出し、図３（ｂ）に示すように、この接着層３１を用いて伝票片１０を配送物２に貼着する。このように、納品書２１が、剥離台紙２０から分離して伝票片１０に貼着されたままとなった状態で伝票片１０が配送物２に貼着されることで、納品書２１が伝票片１０と配送物２との間に収容された状態となる。
【００２９】
伝票片１０が貼着された配送物２は、配送情報表示領域１１ａ，１２ａ，１３ａに記入あるいは印字された配送情報１１ｃ，１２ｃ，１３ｃに従って配送先に配送されていく。
【００３０】
そして、配送物２が配送先に届けられ、配達票１２の押印領域１２ｂに受領印１２ｄが押下された後、図３（ｃ）に示すように、配達票１２のコーナーカット１５を摘み、ミシン目１４を破断していくことにより配達票１２を伝票片１０から分離する。この際、配達票１２に対向する領域には納品書２１が貼着されているため、配達票１２を伝票片１０から分離する際、汚れた軍手等をはめた手で配達票１２を分離しても配送物２が汚れてしまうことがない。
【００３１】
このようにして配送物２が配送先に届けられ、配達票１２の押印領域１２ｂに受領印１２ｄが押下されると、図３（ｄ）に示すように、伝票片１０から配達票１２が分離され、配送物２に関する情報となる納品情報２１ａが表示された納品書２１が視認される。
【００３２】
次に、配送物２の配送先にて納品書２１を取り出す方法について説明する。
【００３３】
図４は、図１及び図２に示した配送伝票１において伝票片１０とともに配送物２に貼着された納品書２１を取り出す方法の一例を説明するための図である。
【００３４】
配送物２の配送先にて納品書２１を取り出す場合は、まず、図４（ａ）に示すように、領収証１１の配達票１２が伝票片１０から分離したことによって生じた端部を摘み、ミシン目１４を破断していくことにより領収証１１を伝票片１０から分離していく。
【００３５】
すると、剥離台紙２０から分離して伝票片１０に貼着されたままとなって伝票片１０と配送物２との間に収容された状態となっている納品書２１が、伝票片１０に設けられた接着層３２によって領収証１１と剥離不能に貼着されていることにより、領収証１１の伝票片１０からの分離に伴って伝票片１０と配送物２との間から引き出されていこうとする。納品書２１は、接着層３２によって伝票片１０に貼着された端部領域とは反対側の端部領域が接着層３１に対向していることで伝票片１０と貼着されているが、接着層３１によって伝票片１０と貼着された端部領域の引き出し方向下流側にはミシン目２３が設けられているため、図４（ｃ）に示すように、納品書２１を伝票片１０と配送物２との間から引き出そうとすることでミシン目２３が破断して納品書２１の端部領域が切り離され、納品書２１が伝票片１０と配送物２との間から取り出されることになる。
【００３６】
このように、伝票片１０から領収証１１を分離するだけで、剥離台紙２０から分離して伝票片１０と配送物２との間に収容された状態となっている納品書２１を容易に取り出すことができ、納品書２１に表示された納品情報２１ａを配送物２の配送先に通知することができる。
【００３７】
伝票片１０と配送物２との間から取り出された納品書２１には、接着層３２によって領収証１１が剥離不能に貼着されているが、接着層３２が、領収証１１の端辺に沿う端部領域に、その端辺に並行して幅狭に設けられたものであるため、領収証１１と納品書２１との剥離が容易ではないものの、人間の手によって剥離することが可能である。
【００３８】
なお、上述したように伝票片１０から領収証１１を分離しようとした場合、接着層３１，３２を構成する接着剤の接着力や、ミシン目２３，２４の破断強度によっては、上述したものとは異なる作用が生じるため、納品書２１を他の方法によって取り出すことができる。
【００３９】
図５は、図１及び図２に示した配送伝票１において伝票片１０とともに配送物２に貼着された納品書２１を取り出す方法の他の例を説明するための図である。
【００４０】
配送物２の配送先にて納品書２１を取り出す場合に、領収証１１の配達票１２が伝票片１０から分離したことによって生じた端部を摘み、ミシン目１４を破断していくことにより領収証１１を伝票片１０から分離していく際の作用は、図４に示したものと同様である。
【００４１】
そして、上記同様に、剥離台紙２０から分離して伝票片１０に貼着されたままとなって伝票片１０と配送物２との間に収容された状態となっている納品書２１が、伝票片１０に設けられた接着層３２によって領収証１１と剥離不能に貼着されていることにより、領収証１１の伝票片１０からの分離に伴って伝票片１０と配送物２との間から引き出されていこうとするが、接着層３１を構成する接着剤の接着力が強かったり、ミシン目２４の破断力が弱かったりする場合は、図５（ｂ）に示すように、ミシン目２４が破断することで、納品書２１の接着層３２に対向する端部領域が領収証１１に貼着されたまま納品書２１から切り離される。特に、図５（ｂ）に示すように、領収証１１を斜めに傾けながら伝票片１０から分離しようとすると、ミシン目２４が破断しやすく、納品書２１の接着層３２に対向する端部領域を容易に切り離すことができる。
【００４２】
すると、図５（ｃ）に示すように、伝票片１０にて配達票１２及び領収証１１が分離したことによって生じた開口部１６内において、納品書２１の配送物２や伝票片１０に貼着されていない側の端部が、開口部１６の端辺との間に、ミシン目２４が破断されることで納品書２１から切り離された端部領域の幅分の隙間２５を隔てて生じることとなる。そこで、この隙間２５に指を挿入して納品書２１の端部を引っ張ることにより、上記同様に、納品書２１の接着層３１に対向している端部領域が、ミシン目２３が破断することで切り離され、図５（ｄ）に示すように、納品書２１が伝票片１０と配送物２との間から取り出されることになる。
【００４３】
このように、伝票片１０から領収証１１を分離することで、納品書２１を伝票片１０と配送物２との間から取り出しやすい状態とすることができ、その後、納品書２１を容易に取り出すことができ、納品書２１に表示された納品情報２１ａを配送物２の配送先に通知することができる。
【００４４】
なお、上述した形態においては、分離票として領収証１１を例に挙げて説明したが、分離票としては、領収証１１に限らず配達票１２であってもよく、また、貼付票１３を伝票片１０から分離可能な構成として分離票として用いることも考えられる。
【００４５】
（他の実施の形態）
図６は、本発明の配送伝票の他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図７は、図６に示した伝票片１１０及び剥離台紙１２０の構成を示す図であり、（ａ）は伝票片１１０の剥離台紙１２０との貼着面を示す図、（ｂ）は剥離台紙１２０の伝票片１１０との貼着面の構成を示す図である。
【００４６】
本形態は図６及び図７に示すように、図１に示した配送伝票１に対して、伝票片１１０の剥離台紙１２０との貼着面における接着層１３１，１３２の構成と、剥離台紙１２０の構成はそのままとしながらも、伝票片１１０の領収証１１１と貼付票１１３との配置位置を入れ替えるとともに、貼付票１１３についても伝票片１１０から分離可能としたものである。それにより、第２の接着層１３２が、伝票片１１０の剥離台紙１２０との貼着面のうち貼付票１１３となる領域に設けられ、貼付票１１３が納品書１２１と剥離不能に貼着されている。なお、本形態においては、図１に示したミシン目１４の代わりにジッパー１１４によって、領収証１１１、配達票１１２及び貼付票１１３が互いにかつ伝票片１１０から分離可能となっている。ジッパー１１４は、例えば、長辺と短辺とが直角または鈍角を有して“ヘ”の字状に連結した複数の切り込みが並んで構成されているものが考えられる。
【００４７】
また、本形態の配送伝票１０１においては、領収証１１１、配達票１１２及び貼付票１１３のそれぞれについて、伝票片１１０から分離する際の分離開始端部分及びその順番を示す分離端指示情報１１６ａ〜１１６ｃが、領収証１１１、配達票１１２及び貼付票１１３に隣接する領域に表示されている。
【００４８】
以下に、上記のように構成された配送伝票１０１の使用方法について説明する。
【００４９】
上記のように構成された配送伝票１０１は、図１に示したものと同様に、剥離台紙１２０の納品書１２１を除く領域を伝票片１１０から剥離し、伝票片１１０の剥離台紙１２０との貼着面に表出した接着層１３１を用いて伝票片１１０を配送物に貼着する。
【００５０】
そして、伝票片１１０が貼着された配送物が、配送情報表示領域１１１ａ，１１２ａ，１１３ａに記入あるいは印字された配送情報に従って配送先に配送されていき、配達票１１２の押印領域１１２ｂに受領印が押下された後、分離指示情報１１６ａに従って配達票１１２のコーナーカット１１５を摘み、ジッパー１１４を破断していくことにより配達票１１２を伝票片１１０から分離する。
【００５１】
図８は、図６及び図７に示した配送伝票１０１から納品書１２１を取り出す方法の一例を説明するための図である。
【００５２】
上述したように、配送物１０２が配送先に届けられ、伝票片１１０から配達票１１２が分離されると、図８（ａ）に示すように、配送物１０２に関する情報となる納品情報１２１ａが表示された納品書１２１が視認される。
【００５３】
そして、分離指示情報１１６ｂに従って、ジッパー１１４を破断していくことにより領収証１１１を伝票片１１０から分離し、その後、分離指示情報１１６ｃに従って、ジッパー１１４を破断していくことにより貼付票１１３を伝票片１１０から分離していく。
【００５４】
すると、剥離台紙１２０から分離して伝票片１１０に貼着されたままとなって伝票片１１０と配送物１０２との間に収容された状態となっている納品書１２１が、伝票片１１０に設けられた接着層１３２によって貼付票１１３と剥離不能に貼着されていることにより、貼付票１１３の伝票片１１０からの分離に伴って伝票片１１０と配送物１０２との間から引き出されていこうとする。納品書１２１は、接着層１３２によって伝票片１１０に貼着された端部領域とは反対側の端部領域が接着層１３１に対向していることで伝票片１１０と貼着されているが、接着層１３１によって伝票片１１０と貼着された端部領域の引き出し方向下流側にはミシン目１２３が設けられているため、図８（ｂ）に示すように、納品書１２１を伝票片１１０と配送物１０２との間から引き出そうとすることでミシン目１２３が破断して納品書１２１の端部領域が切り離され、納品書１２１が伝票片１１０と配送物１０２との間から取り出されることになる。
【００５５】
このように、伝票片１１０から貼付票１１３を分離するだけで、剥離台紙１２０から分離して伝票片１１０と配送物１０２との間に収容された状態となっている納品書１２１を容易に取り出すことができ、納品書１２１に表示された納品情報１２１ａを配送物１０２の配送先に通知することができる。
【００５６】
なお、本形態の配送伝票１０１においても、図５に示したものと同様に、貼付票１１３を伝票片１１０から分離する際に、ミシン目１２４が破断し、その後、納品書１２１の端部を引っ張ることにより、納品書１２１を伝票片１１０と配送物１０２との間から取り出すこともできる。
【００５７】
図９は、本発明の配送伝票の他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図１０は、図９に示した伝票片２１０及び剥離台紙２２０の構成を示す図であり、（ａ）は伝票片２１０の剥離台紙２２０との貼着面を示す図、（ｂ）は剥離台紙２２０の伝票片２１０との貼着面の構成を示す図である。
【００５８】
本形態は図９及び図１０に示すように、図１に示した配送伝票１に対して、貼付票２１３が伝票片２１０から分離可能に構成されるとともに、伝票片２１０の剥離台紙２２０との貼着面の構成が異なるものである。本形態の配送伝票２０１においては、第２の接着層２３２が、領収証２１１の剥離台紙２２０との貼着面ではなく、貼付票２１３の剥離台紙２２０との貼着面において配達票２１２とは反対側の端辺に沿う領域に設けられている。またそれにより、領収証２１１の配達票２１２とは反対側の端辺に沿う領域と、貼付票２１３の配達票２１２とは反対側の端辺に沿う領域とで、接着層２３１と剥離層２４０、さらにこれらとスリット２２２及びミシン目２２３，２２４との位置関係が互いに入れ替わっている。なお、本形態においては、図１に示したミシン目１４の代わりにジッパー２１４によって、領収証２１１、配達票２１２及び貼付票２１３が互いにかつ伝票片２１０から分離可能となっている。ジッパー２１４は、例えば、長辺と短辺とが直角または鈍角を有して“ヘ”の字状に連結した複数の切り込みが並んで構成されているものが考えられる。
【００５９】
また、本形態の配送伝票２０１においては、領収証２１１、配達票２１２及び貼付票２１３のそれぞれについて、伝票片２１０から分離する際の分離開始端部分及びその順番を示す分離端指示情報２１６ａ〜２１６ｃが、領収証２１１、配達票２１２及び貼付票２１３に隣接する領域に表示されている。
【００６０】
以下に、上記のように構成された配送伝票２０１の使用方法について説明する。
【００６１】
上記のように構成された配送伝票２０１は、図１に示したものと同様に、剥離台紙２２０の納品書２２１を除く領域を伝票片２１０から剥離し、伝票片２１０の剥離台紙２２０との貼着面に表出した接着層２３１を用いて伝票片２１０を配送物に貼着する。
【００６２】
そして、伝票片２１０が貼着された配送物が、配送情報表示領域２１１ａ，２１２ａ，２１３ａに記入あるいは印字された配送情報に従って配送先に配送されていき、配達票２１２の押印領域２１２ｂに受領印が押下された後、分離指示情報２１６ａに従って配達票２１２のコーナーカット２１５を摘み、ジッパー２１４を破断していくことにより配達票２１２を伝票片２１０から分離する。
【００６３】
図１１は、図９及び図１０に示した配送伝票２０１から納品書２２１を取り出す方法の一例を説明するための図である。
【００６４】
上述したように、配送物２０２が配送先に届けられ、伝票片２１０から配達票２１２が分離されると、図１１（ａ）に示すように、配送物２０２に関する情報となる納品情報２２１ａが表示された納品書２２１が視認される。
【００６５】
そして、分離指示情報２１６ｂに従って、ジッパー２１４を破断していくことにより領収証２１１を伝票片２１０から分離し、その後、分離指示情報２１６ｃに従って、ジッパー２１４を破断していくことにより貼付票２１３を伝票片２１０から分離していく。
【００６６】
すると、剥離台紙２２０から分離して伝票片２１０に貼着されたままとなって伝票片２１０と配送物２０２との間に収容された状態となっている納品書２２１が、伝票片２１０に設けられた接着層２３２によって貼付票２１３と剥離不能に貼着されていることにより、貼付票２１３の伝票片２１０からの分離に伴って伝票片２１０と配送物２０２との間から引き出されていこうとする。納品書２２１は、接着層２３２によって伝票片２１０に貼着された端部領域とは反対側の端部領域が接着層２３１に対向していることで伝票片２１０と貼着されているが、接着層２３１によって伝票片２１０と貼着された端部領域の引き出し方向下流側にはミシン目２２４が設けられているため、図１１（ｂ）に示すように、納品書２２１を伝票片２１０と配送物２０２との間から引き出そうとすることでミシン目２２４が破断して納品書２２１の端部領域が切り離され、納品書２２１が伝票片２１０と配送物２０２との間から取り出されることになる。
【００６７】
このように、伝票片２１０から貼付票２１３を分離するだけで、剥離台紙２２０から分離して伝票片２１０と配送物２０２との間に収容された状態となっている納品書２２１を容易に取り出すことができ、納品書２２１に表示された納品情報２２１ａを配送物２０２の配送先に通知することができる。
【００６８】
なお、本形態の配送伝票２０１においても、図５に示したものと同様に、貼付票２１３を伝票片２１０から分離する際に、ミシン目２２３が破断し、その後、納品書２２１の端部を引っ張ることにより、納品書２２１を伝票片２１０と配送物２０２との間から取り出すこともできる。
【００６９】
ここで、上述した実施の形態においては、接着層３２，１３２，２３２を、領収証１１や貼付票１１１，２１１の端辺に沿う端部領域に、その端辺に並行してライン状に幅狭に設けることで、納品書２１，１２１，２２１が領収証１１や貼付票１１１，２１１と剥離不能に貼着されているもののこれらを人間の手によって剥離することを可能としているが、接着層３２，１３２，２３２を構成する接着剤の接着力が強い場合、人間の手によっても剥離困難となってしまう場合がある。
【００７０】
図１２は、図１〜図１１に示した配送伝票１，１０１，２０１に用いられる第２の接着層の他の構成例を示す図である。
【００７１】
図１〜図１１に示した配送伝票１，１０１，２０１に用いられる第２の接着層として、図１２に示すように、領収証１１や貼付票１１１，２１１の端辺に沿う端部領域に、その端辺に並行してスポット的に接着剤を並べて塗布することで複数の接着層３３２ａを構成してもよい。それにより、ライン状の接着層に対して、納品書２１，１２１，２２１と領収証１１や貼付票１１１，２１１を容易に剥離することができる。なお、接着層３３２ａは、伝票片１０，１１０，２１０の剥離台紙２０，１２０，２２０との貼着面に接着剤をスポット的に塗布することで構成することに限らず、伝票片１０，１１０，２１０の剥離台紙２０，１２０，２２０との貼着面に面状またはライン状に塗布された接着剤上に、ニス等の非接着材料を孔部を有して塗布することで、接着剤をスポット状に表出させることによって構成してもよい。
【符号の説明】
【００７２】
１，１０１，２０１    配送伝票
２，１０２，１０３    配送物
１０，１１０，２１０    伝票片
１１，１１１，２１１    領収証
１１ａ，１２ａ，１３ａ，１１１ａ，１１２ａ，１１３ａ，２１１ａ，２１２ａ，２１３ａ    配送伝票表示領域
１１ｃ，１２ｃ，１３ｃ，１１１ｃ，１１３ｃ，２１１ｃ，２１３ｃ    配送情報
１２，１１２，２１２    配達票
１２ｂ，１１２ｂ，２１２ｂ    押印領域
１２ｄ    受領印
１３，１１３，２１３    貼付票
１４，２３，２４，１２３，１２４，２２３，２２４    ミシン目
１５，１１５，２１５    コーナーカット
１６    開口部
２０，１２０，２２０    剥離台紙
２１，１２１，２２１    納品書
２１ａ，１２１ａ，２２１ａ    納品情報
２２，１２２，２２２    スリット
２５    隙間
３１，３２，１３１，１３２，２３１，２３２，３３２ａ    接着層
４０，１４０，２４０    剥離層
１１４，２１４    ジッパー
１１６ａ〜１１６ｃ    分離端指示情報
【図１】
0006647163.tif 000002
【図２】
0006647163.tif 000003
【図３】
0006647163.tif 000004
【図４】
0006647163.tif 000005
【図５】
0006647163.tif 000006
【図６】
0006647163.tif 000007
【図７】
0006647163.tif 000008
【図８】
0006647163.tif 000009
【図９】
0006647163.tif 000010
【図１０】
0006647163.tif 000011
【図１１】
0006647163.tif 000012
【図１２】
0006647163.tif 000013